【手続補正書】
【提出日】平成16年12月6日(2004.12.6)
【手続補正１】
【補正対象書類名】明細書
【補正対象項目名】特許請求の範囲
【補正方法】変更
【補正の内容】
【特許請求の範囲】
【請求項１】
ローカルエリアネットワークに接続され複数の上位装置に共用されるプリンタ装置において、
前記上位装置とデータの送受信を行うための通信手段と、
少なくとも、各ユーザの利用者ＩＤと、当該利用者ＩＤに対応するパスワードとが登録されるパスワードテーブルを記憶する第１記憶手段と、
前記上位装置から受信した印字データを格納する第２記憶手段と、
前記パスワード等のデータを入力するための入力手段と、
前記入力手段から入力されるパスワード及び前記通信手段を介して前記上位装置から受信した利用者ＩＤと、前記パスワードテーブルに登録された利用者ＩＤ及びパスワードとを照合し、これら利用者ＩＤ及びパスワードが一致した場合のみ、前記第２記憶手段に格納された対応する印字データを読み出し、印字動作を行わせる制御手段と、
前記制御手段からの印字指令に応じて、印字出力を行う印字手段と、
を備えたことを特徴とするプリンタ装置。
【請求項２】
ローカルエリアネットワークに接続され複数の上位装置に共用されるプリンタ装置において、
第１及び第２の印字モードを有し、
前記上位装置とデータの送受信を行うための通信手段と、
少なくとも、各ユーザの利用者ＩＤと、当該利用者ＩＤに対応するパスワードとが登録されるパスワードテーブルを記憶する第１記憶手段と、
前記上位装置から受信した印字データを格納する第２記憶手段と、
前記パスワード等のデータを入力するための入力手段と、
前記プリンタ装置の各部の制御を司る制御手段と、
前記制御手段からの印字指令に応じて、印字出力を行う印字手段と、
を備え、
前記上位装置により前記第１の印字モードが選択された場合には、前記制御手段は、前記上位装置から受信した印字データを前記第２記憶手段に書き込んだ後、前記印字手段に、当該第２記憶手段に書き込まれた印字データの印字動作を行わせる一方、
前記上位装置により前記第２の印字モードが選択された場合には、前記制御手段は、前記上位装置から受信した印字データを、前記第２記憶手段に書き込み、前記入力手段から入力されるパスワード及び前記通信手段を介して前記上位装置から受信した利用者ＩＤと、前記パスワードテーブルに登録された利用者ＩＤ及びパスワードとを照合し、これら利用者ＩＤ及びパスワードが一致した場合のみ、当該第２記憶手段に書き込まれた印字データを読み出し、印字動作を行わせることを特徴とするプリンタ装置。
【請求項３】
更に、前記第２記憶手段のユーザ記憶エリアに格納されている印字データの有無、及び／または当該印字データの件数を表示する表示手段を、備えたことを特徴とする請求項１または２に記載のプリンタ装置。
【請求項４】
複数の排紙トレイを備え、前記制御手段は、前記第１の印字モードと第２の印字モードとで、前記印字手段に、異なった排紙トレイに印字出力させることを特徴とする請求項２または３に記載のプリンタ装置。
【請求項５】
前記制御手段は、前記上位装置から送信された印字データを、前記第２記憶手段に格納した場合に、印字データの格納が終了した旨を、前記通信手段を介して、通知することを特徴とする請求項１〜４のいずれか１つに記載のプリンタ装置。
【請求項６】
前記入力手段は、印字出力する印字データの印刷条件を設定可能としたことを特徴とする請求項１〜５のいずれか１つに記載のプリンタ装置。
【請求項７】
前記第２モードにおいて印字出力する排紙トレイを、前記第１モードにおいて印字出力する排紙トレイの下段に配置したことを特徴とする請求項４に記載のプリンタ装置。
【請求項８】
前記上位装置は、パーソナルコンピュータであることを特徴とする請求項１〜７のいずれか１つに記載のプリンタ装置。
【手続補正２】
【補正対象書類名】明細書
【補正対象項目名】００１３
【補正方法】変更
【補正の内容】
【００１３】
【課題を解決するための手段】
上記課題を解決するために、請求項１に係るプリンタ装置は、ローカルエリア
ネットワークに接続され複数の上位装置に共用されるプリンタ装置において、前
記上位装置とデータの送受信を行うための通信手段と、少なくとも、各ユーザの
利用者ＩＤと、当該利用者ＩＤに対応するパスワードとが登録されるパスワード
テーブルを記憶する第１記憶手段と、前記上位装置から受信した印字データを格
納する第２記憶手段と、前記パスワード等のデータを入力するための入力手段と、
前記入力手段から入力されるパスワード及び前記通信手段を介して前記上位装置
から受信した利用者ＩＤと、前記パスワードテーブルに登録された利用者ＩＤ及
びパスワードとを照合し、これら利用者ＩＤ及びパスワードが一致した場合のみ
、前記第２記憶手段に格納された対応する印字データを読み出し、印字動作を行
わせる制御手段と、前記制御手段からの印字指令に応じて、印字出力を行う印字
手段と、を備えたものである。
【手続補正３】
【補正対象書類名】明細書
【補正対象項目名】００１４
【補正方法】変更
【補正の内容】
【００１４】
また、請求項２に係るプリンタ装置は、ローカルエリアネットワークに接続さ
れ複数の上位装置に共用されるプリンタ装置において、第１及び第２の印字モー
ドを有し、前記上位装置とデータの送受信を行うための通信手段と、少なくとも
、各ユーザの利用者ＩＤと、当該利用者ＩＤに対応するパスワードとが登録され
るパスワードテーブルを記憶する第１記憶手段と、前記上位装置から受信した印
字データを格納する第２記憶手段と、前記パスワード等のデータを入力するため
の入力手段と、前記プリンタ装置の各部の制御を司る制御手段と、前記制御手段
からの印字指令に応じて、印字出力を行う印字手段と、を備え、  前記上位装置
により前記第１の印字モードが選択された場合には、前記制御手段は、前記上位
装置から受信した印字データを前記第２記憶手段に書き込んだ後、前記印字手段
に、当該第２記憶手段に書き込まれた印字データの印字動作を行わせる一方、前
記上位装置により前記第２の印字モードが選択された場合には、前記制御手段は
、前記上位装置から受信した印字データを、前記第２記憶手段に書き込み、前記
入力手段から入力されるパスワード及び前記通信手段を介して前記上位装置から
受信した利用者ＩＤと、前記パスワードテーブルに登録された利用者ＩＤ及びパ
スワードとを照合し、これら利用者ＩＤ及びパスワードが一致した場合のみ、当
該第２記憶手段に書き込まれた印字データを読み出し、印字動作を行わせるもの
である。
【手続補正４】
【補正対象書類名】明細書
【補正対象項目名】００５８
【補正方法】変更
【補正の内容】
【００５８】
【発明の効果】
請求項１に係るプリンタ装置は、ローカルエリアネットワークに接続され複数
の上位装置に共用されるプリンタ装置において、前記上位装置とデータの送受信
を行うための通信手段と、少なくとも、各ユーザの利用者ＩＤと、当該利用者Ｉ
Ｄに対応するパスワードとが登録されるパスワードテーブルを記憶する第１記憶
手段と、前記上位装置から受信した印字データを格納する第２記憶手段と、前記
パスワード等のデータを入力するための入力手段と、前記入力手段から入力され
るパスワード及び前記通信手段を介して前記上位装置から受信した利用者ＩＤと
、前記パスワードテーブルに登録された利用者ＩＤ及びパスワードとを照合し、
これら利用者ＩＤ及びパスワードが一致した場合のみ、前記第２記憶手段に格納
された対応する印字データを読み出し、印字動作を行わせる制御手段と、前記制
御手段からの印字指令に応じて、印字出力を行う印字手段と、を備えたこととし
たので、自機に設けられた入力手段から入力されるパスワードが正しい場合のみ、
上位装置から送出される印字データを印字することができ、機密性の高い文書の
印刷文書の機密性を担保することが可能となる。
【手続補正５】
【補正対象書類名】明細書
【補正対象項目名】００５９
【補正方法】変更
【補正の内容】
【００５９】
また、請求項２に係るプリンタ装置は、ローカルエリアネットワークに接続さ
れ複数の上位装置に共用されるプリンタ装置において、第１及び第２の印字モー
ドを有し、前記上位装置とデータの送受信を行うための通信手段と、少なくとも
、各ユーザの利用者ＩＤと、当該利用者ＩＤに対応するパスワードとが登録され
るパスワードテーブルを記憶する第１記憶手段と、前記上位装置から受信した印
字データを格納する第２記憶手段と、前記パスワード等のデータを入力するため
の入力手段と、前記プリンタ装置の各部の制御を司る制御手段と、前記制御手段
からの印字指令に応じて、印字出力を行う印字手段と、を備え、前記上位装置に
より前記第１の印字モードが選択された場合には、前記制御手段は、前記上位装
置から受信した印字データを前記第２記憶手段に書き込んだ後、前記印字手段に
、当該第２記憶手段に書き込まれた印字データの印字動作を行わせる一方、前記
上位装置により前記第２の印字モードが選択された場合には、前記制御手段は、
前記上位装置から受信した印字データを、前記第２記憶手段に書き込み、前記入
力手段から入力されるパスワード及び前記通信手段を介して前記上位装置から受
信した利用者ＩＤと、前記パスワードテーブルに登録された利用者ＩＤ及びパス
ワードとを照合し、これら利用者ＩＤ及びパスワードが一致した場合のみ、当該
第２記憶手段に書き込まれた印字データを読み出し、印字動作を行わせる自機に
設けられた入力手段から入力されるパスワードが正しい場合のみ、上位装置から
送出される印字データを印字することができ、機密性の高い文書の印刷文書の機
密性を担保することが可能となる。また、通常の機密性の低い印字データの印字
を第１の印字モードで行い、機密性の高い印字データの印字を第２の印字モード
で行うことができ、ユーザは文書の機密度に応じて、機能を選択することが可能
となる。